(57)【要約】      （修正有）【課題】コンベヤーベルト、フレームセット及び吊り椅子を含むトレーニング装置を提供する。【解決手段】コンベヤーベルト３０はユーザーが物理療法又はリハビリテーションのために歩く場所として用いられる。フレームセット１４は支持を提供するためコンベヤーベルトの周りに配置される。吊り椅子６０はユーザーを支えるためフレームセットに吊られ、前方末端と後方末端を有する幹、幹の前記後方末端とつながる椅子、及び幹とつながり、フレームセットにかけられる少なくとも１つのベルトを含む。【選択図】図１
0003187853.tif 000002
【実用新案登録請求の範囲】
【請求項１】
物理療法又はリハビリテーションのためにユーザーが歩く場所であるコンベヤーベルトと、
支持を提供するために前記コンベヤーベルトの周りに配置されるフレームセットと、
前記ユーザーを支えるために前記フレームセットに吊られる吊り椅子とを含み、
前記吊り椅子は前方末端と後方末端を有する幹と、
前記幹の後方末端とつながる椅子と、
前記幹につながると共に前記フレームセットにかけられる少なくとも１つのベルトを有することを特徴とする、トレーニング装置。
【請求項２】
前記幹は前方台座、後方台座、前記前方台座と前記後方台座の間の板、及び前記後方台座とつながる前記椅子を含むことを特徴とする請求項１に記載のトレーニング装置。
【請求項３】
前記板は第１湾曲部、第２湾曲部、前記第１湾曲部と前記第２湾曲部の間の渡し部を含み、前記第１湾曲部は前記前方台座とつながり、前記第２湾曲部は前記後方台座とつながることを特徴とする、請求項２に記載のトレーニング装置。
【請求項４】
前記前方台座は前方開口部を含み、前記後方台座は後方開口部を含み、少なくとも１つのベルトは前記後方開口部を通る第１ベルトと、前記前方開口部を通る第２ベルトを含むことを特徴とする、請求項３に記載のトレーニング装置。
【請求項５】
前記吊り椅子はさらに前記前方台座とつながるパッドを含むことを特徴とする、請求項１に記載のトレーニング装置。
【請求項６】
ユーザーが物理療法又はリハビリテーションのために歩く場所であるコンベヤーベルトと、
それぞれ前記コンベヤーベルトの両サイドに配置される２つの手すりを含む手すりセットと、
前記コンベヤーベルトを支えるためのプラテンと前記手すりセットを支えるためのフレームワークを含む支持構造とを含み、
前記フレームワークの前記吊り椅子は前方末端と後方末端を有する幹と、
前記幹の後方末端とつながる椅子と、
前記幹とつながると共に前記支持構造にかけられる少なくとも１つのベルトを有することを特徴とする、トレーニング装置。
【考案の詳細な説明】
【技術分野】
【０００１】
本考案は、吊り椅子を有する歩行トレーニング装置又はトレッドミルなどのトレーニング装置に関する。
【背景技術】
【０００２】
トレッドミルはユーザーが同じ場所で歩いたり、走ったりすることを可能にする装置である。通常、トレッドミルは電気モーター又は弾み車によって駆動される幅の広いコンベヤーベルトを有する移動プラットフォームを提供する。
【０００３】
速度の遅いいくつかの種類のトレッドミルは、例えば、負傷した、年老いた、病気の人々の足を鍛えるための物理療法やリハビリテーションのために用いることができる。ユーザーはコンベヤーベルトに立ち、コンベヤーベルトの両サイドに配置される手すりをつかむことができる。
【考案の概要】
【考案が解決しようとする課題】
【０００４】
しかしながら、前述した従来の技術では、負傷した、年老いた、病気の人々にとっては、彼らの力は弱く、彼らのステップはコンベヤーベルトの速度に合わせることができなかったり、コンベヤーベルトの速度より遅かったりする可能性があり、容易に転落してしまうという問題があった。
【０００５】
そこで、本考案者は上記の欠点が改善可能と考え、鋭意検討を重ねた結果、合理的かつ効果的に課題を改善する本考案の提案に到った。
【０００６】
本考案は、このような従来の問題に鑑みてなされたものである。上記課題解決のため、本考案は、吊り椅子を具備するトレーニング装置を提供することを主目的とする。
【課題を解決するための手段】
【０００７】
上述した課題を解決し、目的を達成するために、本考案はコンベヤーベルト、フレームセット、及び吊り椅子を含むトレーニング装置が開示される。前記コンベヤーベルトはユーザーが物理療法又はリハビリテーションのために歩く場所として用いられる。支持を提供するため、前記フレームセットは前記コンベヤーベルトの周りに配置される。前記ユーザーを支えるため、前記吊り椅子は前記フレームセットに吊られ、前方末端と後方末端を有する幹、前記幹の前記後方末端とつながる椅子、及び前記幹とつながると共に前記フレームセットにかけられる少なくとも１つのベルトを含むことを特徴とする。
【０００８】
好ましい実施形態によれば、前記幹は前方台座、後方台座、及び前記前方台座と前記後方台座の間の板を含み、前記椅子は前記後方台座とつながることを特徴とする。
【０００９】
好ましい実施形態によれば、前記板は第１湾曲部、第２湾曲部、及び前記第１湾曲部と前記第２湾曲部の間の渡し部を含み、前記第１湾曲部は前記前方台座とつながり、前記第２湾曲部は前記後方台座とつながることを特徴とする。
【００１０】
好ましい実施形態によれば、前記前方台座は前方開口部を含み、前記後方台座は後方開口部を含み、少なくとも１つのベルトは前記後方開口部を通る第１ベルトと、前記前方開口部を通る第２ベルトを含むことを特徴とする。
【００１１】
好ましい実施形態によれば、前記吊り椅子はさらに前記前方台座とつながるパッドを含むことを特徴とする。
【００１２】
好ましい実施形態によれば、前記少なくとも１つのベルトは弾力性を有するように形成されることを特徴とする。
【００１３】
本考案の別の実施形態は、コンベヤーベルト、手すりセット、支持構造、及び吊り椅子を含むトレーニング装置が開示される。前記コンベヤーベルトはユーザーが物理療法又はリハビリテーションのための歩く場所として用いられる。前記手すりセットはそれぞれ前記コンベヤーベルトの両サイドに配置される２つの手すりを含む。前記支持構造は前記コンベヤーベルトを支えるためのプラテンと前記手すりセットを支えるためのフレームワークを含む。前記吊り椅子は前記フレームワークに吊られ、前方末端と後方末端を有する幹、前記幹の前記後方末端とつながる椅子、前記幹とつながると共に前記支持構造にかけられる少なくとも１つのベルトを有することを特徴とする。
【００１４】
好ましい実施形態によれば、前記フレームワークは前記コンベヤーベルトの周りに配置される４つの垂直スティックを含むことを特徴とする。
【００１５】
好ましい実施形態によれば、前記フレームワークは４つの延長スティックを含み、それぞれの延長スティックは１つの垂直スティック内に配置され、前記垂直スティックから延長される、又は前記垂直スティックへと収められ、前記第１固定部材は前記延長スティックの位置を固定するために用いられる。
【００１６】
好ましい実施形態によれば、それぞれの手すりは低い末端がピボット的に前記延長スティックの上端とつながる少なくとも１つのアームを含み、第２固定部材は前記アームと前記延長スティックの角度を決定するために用いられることを特徴とする。
【００１７】
好ましい実施形態によれば、前記フレームワークはそれぞれコンベヤーベルトの片側に配置される２対の垂直スティックを含み、それぞれの対は前記２つの垂直スティックとつながるために用いられる上部水平スティックと下部水平スティックを含むことを特徴とする。
【００１８】
好ましい実施形態によれば、前記吊り椅子はさらに２つのブラケットを含み、それぞれの対の垂直スティックは前記上部水平スティックと前記下部水平スティックによって、あるブラケットの支持板に固定されることを特徴とする。
【００１９】
好ましい実施形態によれば、前記ブラケットはさらに２つの延長バーを含み、それぞれの延長バーは前記支持板内に配置され、前記支持板から延長する、又は前記支持板に収めることが可能であり、第３固定部材は前記延長バーの位置を固定するために用いられることを特徴とする。
【００２０】
好ましい実施形態によれば、前記２つの延長バーの上端は固定バーとつながることを特徴とする。
【００２１】
好ましい実施形態によれば、前記固定バーはそれぞれの末端が安全ベルトとつながる２つの末端を有することを特徴とする。
【００２２】
好ましい実施形態によれば、前記トレーニング装置はさらにプラテン内に配置されると共に前記ユーザー前に進んでいるかを検知し、前記コンベヤーベルトが駆動しているかどうか決定するための複数のステップセンサーを含むことを特徴とする。
【考案の効果】
【００２３】
本考案によれば、吊り椅子を具備するトレーニング装置が得られる。
【図面の簡単な説明】
【００２４】
【図１】本考案の実施例１によるトレーニング装置を示す斜視図である。
【図２】本考案の図１の吊り椅子の詳細を示す斜視図である。
【図３】本考案の図１の吊り椅子の詳細を示す側面図である。
【図４】本考案の図１の吊り椅子の詳細を示す上面図である。
【図５】本考案の別の実施形態によるトレーニング装置を示す斜視図である。
【図６】本考案の図５の側面図である。
【図７】本考案の図６の一部の詳細を示す拡大図である。
【図８】本考案の図６の一部の詳細を示す拡大図である。
【図９】本考案の図６の一部の詳細を示す拡大図である。
【図１０】本考案の前記トレーニング装置の前記延長スティック２４の高さは調整可能であることを示す側面図である。
【図１１】本考案の前記トレーニング装置の２つの手すり４１の間の距離は調整可能であることを示す上面図である。
【図１２】本考案の実施例２によるトレーニング装置を示す斜視図である。
【考案を実施するための形態】
【００２５】
本考案における好適な実施の形態について、添付図面を参照して説明する。尚、以下に説明する実施の形態は、実用新案登録請求の範囲に記載された本発明の内容を限定するものではない。また、以下に説明される構成の全てが、本考案の必須要件であるとは限らない。
【実施例１】
【００２６】
以下、実施例１を図１〜１１に基づいて説明する。
図１を参照すると、歩行トレーニング装置１０又はトレッドミル１０などのトレーニング装置１０が本考案の好ましい実施形態に基づき開示されている。好ましくは、前記トレーニング装置１０は負傷した、病気の、年老いた、又は弱った人々の足を鍛えるための物理療法やリハビリテーションのために用いることができ、前記トレーニング装置１０は歩行学習のために用いることができる。好ましくは、前記トレーニング装置１０はユーザーが歩いたり、走ったりすることができるコンベヤーベルト３０を含み、支持を提供するためにフレームセット１２は前記コンベヤーベルト３０の周りに配置され、前記ユーザーを支えるために吊り椅子６０を前記フレームセット１２に吊る。
【００２７】
図２−４を参照すると、吊り椅子６０が本考案の好ましい実施形態に基づき開示されており、図１は斜視図であり、図２は側面図であり、図３は上面図である。前記吊り椅子６０は前記コンベヤーベルト３０上に配置され、主に幹６２、前記幹２３０とつながる椅子６４、前記フレームセット１２にかけるための第１ベルト６３ｂを含む。ユーザーはお尻を前記幹６４上にし、足は前記幹６４の２つの側面にまたがるようにして前記コンベヤーベルト３０上に立ち、疲れを感じたとき、前記椅子６４に座ることができる。また、前記ユーザーは前記椅子６４に座り、前記コンベヤーベルト３０上を歩くことができる。さらに、前記ユーザーの片方又は両方の手は前記フレームセット１４を握ってもよい。
【００２８】
さらに、前記幹２３０は一方の末端が前方台座６２２とつながり、別の末端が後方台座６２４とつながる２つの末端を有する板６２６を含んでもよい。前記椅子６４は前記後方台座６２４上に配置される。前記板６２６は渡し部６２６１、第１湾曲部６２６２、第２湾曲部６２６３を含んでもよいが、これに限定されない。別の実施形態では、前記板６２６は単に前記渡し部６２６１を含む。本実施形態では、前記第１湾曲部６２６２は前記前方台座６２２とつながり、前記第２湾曲部６２６３は前記後方台座６２４とつながり、前記渡し部６２６１は前記第１湾曲部６２６２と前記第２湾曲部６２６３の間である。
【００２９】
さらに、前記吊り椅子６０はさらに前記前方台座６２２に配置されるパッド６６を含んでもよい。前記パッドは前記吊り椅子６０のバランスをとる助けとなる。本考案のいくつかの実施形態では前記パッド６６は省略される。好ましくは、前記前方台座６２２の大きさは前記後方台座６２４の大きさより小さいか同じである。前記パッド６６の大きさは前記椅子６４の大きさより小さいか同じである。
【００３０】
好ましくは、前記第２湾曲部６２６３は後部開口部６２６３ａを有し、前記第１ベルト６３ｂは前記後部開口部６２６３ａを通る。前記第１ベルト６３ｂはそれぞれその２つの末端に配置される２つの留め金６３２によって前記フレームセット１２にかけられる。
【００３１】
さらに、前記吊り椅子６０はさらに第２ベルト６３ａを含んでもよい。前記第１湾曲部６２６２は前方開口部６２６２ａを有し、前記第２ベルト６３ａは前記前方開口部６２６２ａを通る。前記第２ベルト６３ａはそれぞれその２つの末端に配置される２つの留め金６３２によって前記フレームセット１２にかけられる。
【００３２】
さらに、前記吊り椅子６０はさらに２つの末端がそれぞれ前記前方台座６２２と前記後方台座６２４につながる保護ベルト６８を含んでもよい。前記保護ベルト６８はユーザーが転落したとき、ユーザーが前記幹と衝突することを防ぐために用いられる。
【００３３】
なお、前記ベルト６３ａ／６３ｂと前記フレームセット１２のつながり方は上記方法、例えば、留め金に限定されず、これは本技術領域の他の方法で置き換えることができる。さらに、前記ベルト６３ａ／６３ｂの数も限定されない。例えば、４つのベルトが用いられ、それぞれのベルトは２つの末端を有し、片方の末端は前記幹６２とつながり、別の末端は前記フレームセット１２とつながる。
【００３４】
前記板６２６又は前記渡し部６２６１は薄い又は厚すぎずないよう形成されれることが好ましく、前記板６２６が前記ユーザーの足を干渉せず、前記ユーザーがコンベヤーベルト３０を踏みつけるときに気兼ねしない。前記前方台座６２２と前記後方台座６２４は例えば、前記第１湾曲部６２６２と前記第２湾曲部６２６３によって、それぞれ前記板６２６に固定される。前記固定は、例えばねじ、溶接、取り付けやこれらの組み合わせによって行われるが、これに限定されない。ある実施形態では、前記板６２６、前記前方台座６２２、及び前記後方台座６２４は全体として統合的に形成される。前記板６２６はフィルムと例えば、プラスチックなどの固形物によって形成される。前記板６２６の縦方向は前記コンベヤーベルト３０の縦方向と平行になるように配置される。前記第１ベルト６３ｂ及び／又は前記第２ベルト６３ａは弾力性があるように形成される、又は弾力性を有する材料で形成され、その弾力性は強、中、弱である。もし必要であれば、前記吊り椅子６０は前記フレームセット１２から取り外すことができ、前記トレーニング装置１０を一般の人々又はある程度力を回復した人のために用いることができる。
【００３５】
図５を参照すると、本考案の別の好ましい実施形態に基づき、トレーニング装置１０が開示されている。本実施形態は図１−４で示されているものと同じ又は類似した吊り椅子６０を有し、他の構造の詳細を提供する。図５に示すように、前記トレーニング装置１０は支持構造２０、コンベヤーベルト３０、手すりセット４０、及び吊り椅子６０を含む。
【００３６】
図６は図５で示される前記トレーニング装置１０の側面図であり、図７は前記手すりセット４０と前記支持構造２０の間のつながりを示す。図６及び図７を参照し、前記支持構造２０はプラテン２１とフレームワーク２２を含んでもよいが、これに限定されない。前記プラテン２１は例えば地面などの支持平面上に配置される。前記フレームワーク２２は４つの垂直スティック２３を含んでもよく、それぞれの垂直スティック２３は延長スティック２４を含む。前記延長スティック２４は前記垂直スティック２３内に配置され、前記垂直スティック２３から延長される、又は前記延長スティック２３に収められる。前記４つの垂直スティック２３は前記コンベヤーベルト３０の周りに配置され、例えば、前記コンベヤーベルト３０の周りの４つの角に配置され、前記コンベヤーベルト３０のそれぞれの側面は一対の垂直スティック２３を含む。さらに、前記フレームワーク２２はさらに上部水平スティック２６と下部水平スティック２７を含み、それぞれその２つの垂直スティック２３とつながるため、それぞれの対の垂直スティック２３の上部及び下部位置に配置される。それぞれの垂直スティック２３は第１孔２３２と前記第１孔２３２に搭載される第１固定部材２５を含み、それぞれの延長スティック２４は第１固定孔２４４を含む。前記第１固定部材２５は前記延長スティック２４を固定するために用いられ、これにより前記垂直スティック２３中でスライドできなくなる。例えば、前記第１固定部材２５は前記第１固定孔２４４に差し込まれ、前記延長スティック２４を固定する。
【００３７】
さらに、前記コンベヤーベルト３０は前記プラテン２１上に配置され、前記プラテン２１内の例えばモーターなどの駆動構造によって動くよう駆動される。
【００３８】
図６、７及び８を参照すると、前記手すりセット４０はそれぞれ２つのアーム４２を有する２つの手すり４１を含み、それぞれのアーム４２は片方の末端が前記手すり４０とつながり、前記別の末端はシャフト４４によって、ピボット的にある延長スティック２４上に搭載される。さらに、前記それぞれのアーム４２の下部末端は複数の第２固定孔４２２を含み、第２固定部材４３は前記第２固定孔４２２の１つに差し込まれ、前記アーム４２と前記垂直スティック２３又は前記延長スティック２４の間の角度を決定する。
【００３９】
図５を参照し、前記トレーニング装置１０はフレーム５２と制御パネル５４からなる表示ユニット５０をさらに含んでもよい。前記フレーム５２は前記支持構造２０の前記フレームワーク２２に固定され、前記コンベヤーベルト３０の前方に配置される。前記表示パネル５４は前記フレーム５２に固定され、前記コンベヤーベルト３０のパラメーター、例えば、速度、時間、傾斜角等を設定するために用いられる。また、前記コンベヤーベルト３０を急いで停止させるための緊急停止ボタン５６を前記フレーム５２に配置してもよい。補助的な緊急停止ボタン５８もまた急いで前記コンベヤーベルト３０を停止させるため前記上部水平スティック２６に配置してもよい。いくつかの実施形態では、前記緊急停止ボタン５６及び補助緊急停止ボタン５８は別の位置に配置される。
【００４０】
図５、６、９及び１０を参照し、前記吊り椅子６０は幹６２、第１ベルト６３ｂ、第２ベルト６３ａ、及び椅子６４を含む。
【００４１】
さらに、本実施形態では、前記吊り椅子はそれぞれ前記コンベヤーベルト３０の両サイドに配置される２つのブラケット６１を含む。それぞれのブラケット６１は支持板６１１、２つの延長バー６１２、２つの固定バー６１４、及び２つの第３固定部材６１３を含む。前記支持板６１１は前記上部水平スティック２６と前記下部水平スティック２７を固定し、前記第３固定部材６１３が搭載される２つの第３孔６１５を有する。それぞれの延長バー６１２は前記支持板６１１内でスライドでき、複数の第３固定孔６１６を有する。前記第３固定部材６１３は前記第３孔６１６の１つに差し込まれ、前記延長バー６１２を固定し、前記延長バー６１２の高さを決定する。前記２つの延長バー６１４の前記上部末端は、２つの末端を含むと共にそれぞれの末端は第１留め金７１６を有する固定バー６１４とつながる。
【００４２】
前記幹６２は前記コンベヤーベルト３０上に配置される。前記幹６２の前記後部末端は前記椅子６４とつながる。より良いバランスのため、パッド６６は前記前方末端とつながる。前記パッド６６の大きさは前記椅子６４の大きさと同じか、より小さい。
【００４３】
２つのベルト６３ａ／６３ｂは前記幹６２の前記前方末端及び前記後方末端を通る。図９に示すように、それぞれのベルト６３ａ／６３ｂは第１留めリング６５によって、前記固定バー６１４の前記第１留め金６１７を留める第２留め金６３２を有する。こうすることにより、それぞれのベルト６３ａ／６３ｂの前記２つの末端はそれぞれブラケット６１にかけられる。前記幹６２及び他の類似部分の詳細は図１−図４で議論されている記載と同一又は類似しているので、無駄な記載を省略する。
【００４４】
より安全にするため、２つの安全ベルト６７ａ／６７ｂを前記手すり４１に配置してもよく、それぞれ前記椅子６０の前記前方及び前記後方の近くに配置する。それぞれの安全ベルト６７ａ／６７ｂはそれぞれの末端が第３留め金６７２を含む２つの末端を有する。図９に示すように、前記第２留めリング６８によって、前記第３留め金６７２は前記第１留め金をしっかりと留める。前記安全ベルト６７ａ／６７ｂは弾力性を有するよう形成され、前記弾力性は強、中、弱である。
【００４５】
前記トレーニング装置を使用しているとき、前記手すりセット４０を調節してもよい。詳細には、前記第１固定部材２５はまず前記第１固定孔２４４から取り外され、図１０に示すように、前記延長スティック２４を適切な高さに調節することができる。調節後、前記第１固定部材２５は前記対応する第１固定孔２４４に差し込まれ、前記固定スティック２４を固定する。図７、８及び１１に示すように、前記第２固定部材４３は前記第２固定孔４２２から取り外され、前記手すり４０は前記アーム４２によって、適切な角度に調節される。調節後、前記第２固定部材４３は前記対応する第２固定孔４２２に差し込まれ、前記アーム４２と前記延長スティック２４の間の前記角度を固定する。
【００４６】
前記椅子４０の高さも調節することができる。詳細には、前記第３固定部材６１３はまず前記第３固定孔６１６から取り外され、図９及び図１０に示すように、前記延長バー６１２を適切な高さに調節することができる。調節後、前記第３固定部材６１３を前記対応する第３固定孔６１６に差し込み、前記延長バー６１２を固定する。
【００４７】
前記安全ベルト６７ａと６７ｂはユーザーが転落することを避けるために用いられ、もし不要な場合は、取り外すことができる。前記幹６２は板状、及び薄くなるように形成し、前記ユーザーは前記コンベヤーベルト３０を踏みつけるとき、気兼ねしない。もし前記ユーザーの気分が悪くなったり、疲れた場合、前記緊急停止ボタンを押す、及び／又は少しの間前記椅子６４に座ることができる。また、前記ユーザーは前記椅子６４に座り、前記コンベヤーベルト３０上を歩き続けることもできる。
【００４８】
さらに、前記ユーザーのステップを検知するため、複数のステップセンサー（図示せず）をプラテンの中に配置することができる。前記測定結果は前記制御パネル５４へフィードバックされ、前記測定結果により、前記トレーニング装置１０の適切なランニングモードが決定され、前記システムにより自動的に推定される。例えば、前記ステップセンサーは前記ユーザーのが前に進んでいるかどうか、前記ステップ間の距離をチェックし、前記コンベヤーベルト３０が駆動される、及び／又は他のパラメーターを決定するかを決定する。
【実施例２】
【００４９】
図１２は本考案の実施例２による別のトレーニング装置１０を示す。実施例２では、棚７０が前記固定バー６１４とつながり、前記棚７０の前記上部はこれを留めるリング状バンド７２を有する。前記リング状バンド７２は図８に示すように、前記安全ベルト６７ａ／６７ｂと置き換えるために用いられる。さらに、利便性を高めるため、ペダル８０を支持構造の後方末端に配置してもよい。
【００５０】
したがって、本考案の本実施形態は負傷した、年老いた、弱々しい、又は病気の人々のための複数の設計、例えば彼らが前記コンベヤーベルトから転落することを防ぐ等を有するトレーニング装置を提供する。さらに、本実施形態の前記トレーニング装置はシンプルな構造を有しており、操作が容易である。
【００５１】
以上、本考案の実施形態について図面を参照して詳述したが、具体的な構成はこの実施形態に限られるものではなく、本考案の要旨を逸脱しない範囲の設計変更等も含まれる。
【符号の説明】
【００５２】
１０  トレーニング装置
１４  フレームセット
２０  支持構造
２１  プラテン
２２  フレームワーク
２３  垂直スティック
２３２  第１孔
２４  延長スティック
２４４  第１固定孔
２５  第１固定部材
２６  上部水平スティック
２７  下部水平スティック
３０  コンベヤーベルト
４０  手すりセット  
４１  手すり
４２  アーム
４２２  第２固定孔
４３  第２固定部材
５０  表示ユニット
５２  フレーム
５４  制御パネル
５６  緊急停止ボタン
６０  吊り椅子
６１  ブラケット
６１１  支持板
６１２  延長バー
６１３  第３固定部材
６１４  固定バー
６１５  第３孔
６１６  第３固定孔
６１７  第１留め金
６２  幹
６２２  前方台座
６２４  後方台座
６２６  板
６２６１  渡し部
６２６２  第１湾曲部
６２６２ａ  前方開口部
６２６３  第２湾曲部
６２６３ａ  後方開口部
６３２  留め金
６３ａ  第２ベルト
６３ｂ  第１ベルト
６４  椅子
６５  第１留めリング
６６  パッド
６７ａ  安全ベルト
６７ｂ  安全ベルト
６７２  第３留め具
６８  保護ベルト  （ｐｒｏｔｅｃｔｉｎｇ  ｂｅｌｔ、ＦＩＧ．２）
６８  第２留めリング  （ｓｅｃｏｎｄ  ｃｌａｓｐｉｎｇ  ｒｉｎｇ、ＦＩＧ．  ９）
７０  棚
７２  リング状バンド
８０  ペダル
【図１】
0003187853.tif 000003
【図２】
0003187853.tif 000004
【図３】
0003187853.tif 000005
【図４】
0003187853.tif 000006
【図５】
0003187853.tif 000007
【図６】
0003187853.tif 000008
【図７】
0003187853.tif 000009
【図８】
0003187853.tif 000010
【図９】
0003187853.tif 000011
【図１０】
0003187853.tif 000012
【図１１】
0003187853.tif 000013
【図１２】
0003187853.tif 000014